(57)【要約】【課題】吐水管の先端部で吐水切替えの操作と水量調節等の吐水状態調節操作の何れをも行うことができ、且つ吐水切替の操作を非接触で行うことのできる水栓を提供する。【解決手段】吐水管１２の先端部に吐水切替えを行う非接触式の切替スイッチ１８と、回転により吐水状態調節を行う、切替スイッチ１８を取り囲むダイヤル操作部２０とを設けておく。【選択図】        図１
2008255744.tif 000002
【特許請求の範囲】
【請求項１】
吐水管の先端部に、吐水切替えを行う非接触式の切替スイッチと、回転により吐水状態調節を行う、該切替スイッチを取り囲むダイヤル操作部とを設けたことを特徴とする水栓。
【請求項２】
請求項１において、前記ダイヤル操作部を前記吐水管の側面から側方に突出させてあることを特徴とする水栓。
【請求項３】
請求項１において、前記ダイヤル操作部を吐水管に設けた凹部に回転可能に嵌込状態に設けてあることを特徴とする水栓。
【請求項４】
請求項１において、前記ダイヤル操作部には径方向外方に突出するレバー部が設けてあることを特徴とする水栓。
【請求項５】
請求項１において、前記ダイヤル操作部には現在の吐水状態を表示するための目印が設けてあることを特徴とする水栓。
【請求項６】
請求項１において、前記非接触式の切替スイッチの検知領域として、該切替スイッチに対し正面領域となる第１検知領域と、該正面領域よりも側方の領域となる第２検知領域とを設定してあることを特徴とする水栓。
【発明の詳細な説明】
【技術分野】
【０００１】
この発明は水栓に関し、詳しくは吐水管の先端部に操作部を備えたものに関する。
【背景技術】
【０００２】
吐水管の先端部に操作部を備えた水栓として、従来、下記特許文献１に開示されたものが公知である。
この水栓では、吐水管の先端部に、水と湯との切替えや水道水である原水と浄水との切替え、或いは吐水と止水の切替え等を行う非接触式の切替スイッチが設けてあり、また吐水管の付根部にはシングルレバー式の湯水混合部が設けてあり、吐水管の先端部の切替スイッチを非接触で操作（手かざし操作）すると吐水切替えが行われ、また吐水管の根元部のシングルレバーを操作することで吐水の温度調節や流量調節が行われる。
【０００３】
この特許文献１に開示の水栓は、非接触で吐水切替えを行うことができ、また付根部のシングルレバーを操作することで吐水流量や温度調節等の吐水状態調節を行うことができる点で利便性の高いものである。
【０００４】
しかしながらこの特許文献１に開示の水栓の場合、吐水切替えについては吐水管の先端部で非接触で行うことができるものの、吐水の流量調節や温度調節等の吐水状態調節については、吐水管の付根部のシングルレバーまで手を延ばして操作を行わなければならない問題があり、また吐水管の付根部に嵩高いシングルレバー混合部があるために吐水管ないし水栓が外観的に大型化してしまい、また吐水管の付根部のシングルレバー混合部が水垢汚れし易い問題があった。
【０００５】
尚、他の特許文献として下記特許文献２には、シャワーヘッドの先端部に吐止水切替えを行う吐止水操作部と、吐水流量調節を行う流調操作部とを設けられた水栓が開示されている。
【０００６】
しかしながらこの特許文献２に開示のものは、吐水切替えのための吐止水操作部が、使用者が直接手で触って操作する接触式且つ手動式の操作部であって利便性の点で十分でなく、また吐止水操作部に接触することに伴って、同部分に汚れが付き易い問題があった。
【０００７】
更に他の特許文献として下記特許文献３には、吐水管の先端部に回転式のダイヤル操作部を設け、このダイヤル操作部の回転操作によって吐水流量を調節するようになしたものが開示されている。
【０００８】
しかしながらこの特許文献３に開示のものでは、吐止水切替え等の吐水切替用の操作部が接触式且つ手動式のものであり、特許文献１に開示のものと同様の問題を有するものである。
【０００９】
【特許文献１】特開２００６−１６９９４９号公報
【特許文献２】特開２００１−９５７０９号公報
【特許文献２】特開２００１−２０８２２９号公報
【発明の開示】
【発明が解決しようとする課題】
【００１０】
本発明は以上のような事情を背景とし、吐水管の先端部で吐水切替えと水量調節等の吐水状態調節の操作の何れをも行うことができ、且つ吐水切替の操作を非接触で行うことのできる水栓を提供することを目的としてなされたものである。
【課題を解決するための手段】
【００１１】
而して請求項１のものは、吐水管の先端部に、吐水切替えを行う非接触式の切替スイッチと、回転により吐水状態調節を行う、該切替スイッチを取り囲むダイヤル操作部とを設けたことを特徴とする。
【００１２】
請求項２のものは、請求項１において、前記ダイヤル操作部を前記吐水管の側面から側方に突出させてあることを特徴とする。
【００１３】
請求項３のものは、請求項１において、前記ダイヤル操作部を吐水管に設けた凹部に回転可能に嵌込状態に設けてあることを特徴とする。
【００１４】
請求項４のものは、請求項１において、前記ダイヤル操作部には径方向外方に突出するレバー部が設けてあることを特徴とする。
【００１５】
請求項５のものは、請求項１において、前記ダイヤル操作部には現在の吐水状態を表示するための目印が設けてあることを特徴とする。
【００１６】
請求項６のものは、請求項１において、前記非接触式の切替スイッチの検知領域として、該切替スイッチに対し正面領域となる第１検知領域と、該正面領域よりも側方の領域となる第２検知領域とを設定してあることを特徴とする。
【発明の作用・効果】
【００１７】
以上のように請求項１のものは、吐水管の先端部に、吐水切替えを行う非接触式の切替スイッチと、これを取り囲むようにして回転により吐水状態調節を行うダイヤル操作部とを設けたもので、この請求項１の水栓によれば、吐水切替えを非接触で操作でき、その切替操作に際して操作部に使用者の手が触れないことから、切替スイッチないしその周辺部が接触により汚れる問題を生じず、吐水管を清浄に維持することができるとともに、吐水切替えの操作を非接触で行うことができることから操作性が良く、利便性にも優れている。
【００１８】
また吐水管の同じ先端部に、吐水流量調節等の吐水状態調節を行うためのダイヤル操作部が設けてあるため、吐水管の先端部で吐水状態調節を簡単に行うことができる。
加えて吐水状態調節を行う操作部が吐水管の先端部に設けてあるため、吐水管の付根部をすっきりとなし得るとともに、吐水管の付根部に水垢汚れが付き易い問題も併せて解決することができる。
【００１９】
加えてこの請求項１では、切替スイッチを取り囲む形態で回転式のダイヤル操作部が設けてあって、２つの操作部が１個所に集中しており、初めて水栓を使用する人にも操作部の位置が分り易いとともに、吐水管の先端部に２種類の操作部を設けるに際して、それら２種類の操作部が広いスペースを必要としないため、吐水管先端部の限られた狭いスペースにも容易にそれら２種類の操作部（切替スイッチ及びダイヤル操作部）を設けることが可能となる。
【００２０】
ここで非接触式の切替スイッチは、吐水と止水とを切り替えるものとなしておくことができる。或いは湯（水及び熱湯の混合水）との切替えを行うもの、更には水道水である原水と浄水の切替えを行うものとなしておくことができる。
一方ダイヤル操作部は、吐水の流量調節或いは温度調節を行うものとなしておくことができる。
【００２１】
また上記吐水管は、最上位の位置から先端にかけて下向きに下がった形状のものとなしておき、その下向きに下がった形状の部分に上記の切替スイッチ，ダイヤル操作部を設けておくことができる。
この場合において吐水管は、逆Ｕ字状のグースネック形状のものとなしておくことができる。
【００２２】
上記ダイヤル操作部は電気的操作部となしておくことができる。即ちダイヤル操作部の回転位置の変化により、これに対応した電気信号を生ぜしめるものとなしておくことができる。
この場合制御部でその電気信号に基いて対応する制御弁を作動させることによって、吐水状態調節を行うようになしておくことができる。
【００２３】
請求項２は、ダイヤル操作部を吐水管の側面から側方に突出させたもので、この請求項２によれば、吐水管の側面から側方に突出させた部分で、ダイヤル操作部を操作することができ、ダイヤル操作部の操作性が良好となる。
【００２４】
請求項３は、ダイヤル操作部を、吐水管に設けた凹部に回転可能に嵌込状態に設けたもので、この請求項３によれば、ダイヤル操作部が吐水管の表面から大きく外部に突出した状態となるのを回避することができ、ダイヤル操作部周りないし吐水管の美観を良好となすことができる。
【００２５】
特にこのように吐水管に設けた凹部にダイヤル操作部を嵌込状態に設けることによって、ダイヤル操作部の頂面（天面）と、対応する吐水管の表面とを面一状態となすことが可能となる。
このようにそれらを面一状態とした場合にはダイヤル操作部周りないし吐水管の美観を更に良好となすことができ、また清掃を行う際にも清掃性が良好となる。
ここでダイヤル操作部の頂面と、対応する吐水管の表面とを面一となす場合において、その面一の面は段差が全く無い完全な同一平面となす場合はもとより、段差があってもその段差が１ｍｍ以下のものであれば差支えない。
即ちここで言う面一とは、ダイヤル操作部の頂面と吐水管の対応する表面との段差が１ｍｍ以下である場合を言う。
【００２６】
次に請求項４は、ダイヤル操作部に径方向外方に突出するレバー部を設けたもので、この請求項４によれば、レバー部においてダイヤル操作部を回転操作することが可能となり、ダイヤル操作部の操作性を更に一段と良好となすことができる。
またダイヤル操作部を径方向側方に突出したレバー部において操作することが可能となるため、ダイヤル操作部を操作すべく差し出した手が非接触式の切替スイッチにて検知されてしまい、切替スイッチを誤って操作してしまうといった問題を回避することが可能となる。
【００２７】
請求項５は、ダイヤル操作部に、現在の吐水状態を表示するための目印を設けたもので、この請求項５によれば、現在の吐水状態がどのような状態になっているかを使用者に容易に認識させることができ、ひいては水栓の使い勝手が良好となる。
【００２８】
次に請求項６は、非接触式の切替スイッチの検知領域として、切替スイッチに対し正面領域となる第１検知領域と、これよりも側方の領域である第２検知領域とを設定したものである。
この請求項６によれば、切替スイッチが第１検知領域においてのみ使用者の手を検知したときには、切替スイッチが操作されたものと判断して吐水切替えを行うことができ、また一方、第２検知領域において使用者の手を検知した場合には、使用者がダイヤル操作部を操作すべく手を差し出したものと判断して、吐水切替えを行わないようになすことができ、これにより使用者の意図を誤判定してしまって誤った動作をしてしまうのを良好に回避できる利点が得られる。
【発明を実施するための最良の形態】
【００２９】
次に本発明の実施形態を図面に基づいて詳しく説明する。
図１において、１０は本実施形態の水栓で、１２は水栓１０における吐水管である。
吐水管１２は、カウンター上面等横設された取付面１４から起立する形態で設けられている。
吐水管１２は、全体として逆Ｕ字状のグースネック形状をなしており、その先端に吐水口１６が備えられている。
また吐水管１２には、最上位から先端にかけて下向きに下がった下り形状部１２Ａに且つ先端部の上面に、吐水切替えを行う非接触式の切替スイッチ１８が設けられ、またこれを取り囲むリング状の、回転により吐水状態調節を行うダイヤル操作部２０が設けられている。
ここで切替スイッチ１８は、外周形状が円形状をなしており、またこれに対応してダイヤル操作部２０は、内周形状及び外周形状の何れもが円形状をなしている。
【００３０】
吐水管１２の先端部には、図１（Ｃ）に示しているようにダイヤル操作部２０の外周形状に対応した形状の凹部２２が設けられている。上記ダイヤル操作部２０は、切替スイッチ１８とともにこの凹部２２に嵌込状態に設けられている。
ここでダイヤル操作部２０は、凹部２２に回転可能な状態に嵌め込まれている。
【００３１】
ダイヤル操作部２０は、その上面（頂面）が吐水管１２の上面と面一面をなすように凹部２２に嵌め込まれている。
またダイヤル操作部２０は、その一部が凹部２２の側面の開口、即ち吐水管１２の側面よりも側方に突出せしめられている。
従ってダイヤル操作部２０は、その側方への突出部２０Ａを手で摘む等してこれを回転操作することができる。
【００３２】
この実施形態において、切替スイッチ１８は使用者が手を差し出したときに非接触でこれを検知（人体検知）し、吐水と止水との切替え等の吐水切替えを行う。
またダイヤル操作部２０は、回転操作によって吐水の流量調節等の吐水状態調節を行う。
【００３３】
但しこのダイヤル操作部２０は電気的操作部として構成してあって、このダイヤル操作部２０を回転させると、回転位置検出センサがこれを検知して、その回転位置に応じた信号を発生する。そしてその信号が後述の制御部４６に送られて、制御部４６がその信号に基いて対応する制御弁を作動させる。
従ってこのダイヤル操作部２０は極めて軽やかに回転操作することのできるものである。
【００３４】
尚吐水管１２には、その上面に且つダイヤル操作部２０の直上位置に、吐水流量や吐水温度等の現在の吐水状態を表示するための表示部２４が設けられており、またこれに対応してダイヤル操作部２０には、その表示部２４の何れかの位置を指し示す指示部（目印）２６が、ダイヤル操作部２０と一体回転する状態に設けられている。
従ってダイヤル操作部２０を回転操作したとき、現在の吐水状態がどの吐水状態にあるかを、その指示部２６と表示部２４とによって使用者が明確に認識することができる。
【００３５】
図２において、２８は冷水を供給する給水路，３０は熱湯を供給する給湯路で、３２はそれら給水路２８，給湯路３０を通じて送られてきた水と熱湯とを混合し、且つその混合比率を調節する混合弁で、弁部３４とその開度調節を行うモータ（ここではステッピングモータ）３６とを有している。
この混合弁３２は、水（冷水。以下単に水とするときは冷水を意味する）と熱湯との混合比率を連続的に変化させることができる。即ち混合水（以下単に湯とする）温度を連続的に変化させることができる。
３８は、この混合弁３２からの水又は湯（場合によって熱湯）を吐水管１２に供給する供給路で、この供給路３８上に吐止水弁を兼ねた流量調節弁４０が設けられている。
【００３６】
流量調節弁４０は、弁部４２とその開度調節を行うモータ（ここではステッピングモータ）４４とを有している。
この流量調節弁４０は、モータ４４にて弁部４２の開度を連続的に変化させることができ、これにより供給路３８を通じて吐水管１２に送られる水や湯の流量を連続的に変化させることが可能である。
従って流量調節弁４０は、弁部４２を閉弁させ又は開弁させることによって供給路３８を開閉する開閉弁（吐止水弁）としての働きも有する。
尚、供給路３８上には温度センサ４５が設けられている。
【００３７】
４６は制御部で、この制御部４６に対し、上記の切替スイッチ１８，ダイヤル操作部２０（詳しくはその回転位置を検出する回転位置検出センサ）が電気的に接続されている。
この制御部４６にはまた混合弁３２のモータ３６，流量調節弁４０のモータ４４，温度センサ４５のそれぞれが電気的に接続されている。
この実施形態では、制御部４６からの指令によって混合弁３２，流量調節弁４０がそれぞれ作動制御される。
【００３８】
４８は、給水路２８と供給路３８とを、混合弁３２，流量調節弁４０，温度センサ４５をバイパスして接続する状態に設けられた浄水路で、この浄水路４８上に、水道水を通過させてその際に浄化を行う浄化フィルタ５０及び浄水弁５２が設けられている。
ここで浄水弁５２は、弁部５４とその開度調節を行うモータ５６とを有しており、そのモータ５６が上記の制御部４６に電気的に接続され、かかるモータ５６が、即ち浄水弁５２が制御部４６にて作動制御されるようになっている。
ここで浄水弁５２は、モータ５６にて弁部５４を開閉させる吐止水弁である。但し場合によって弁部５４の開度を連続的に変化させるようになしておき、弁部５４にて浄水の吐止水及び流量調節も併せて行うようになしておくことも可能である。
【００３９】
上記切替スイッチ１８は、様々な切替スイッチとして構成することが可能であり、またダイヤル操作部２０も、これに応じて様々な吐水状態調節用として構成することが可能である。
例えば切替スイッチ１８は、これを吐水と止水とを切り替える切替スイッチとして構成し、またダイヤル操作部２０は、吐水流量を連続的に調節する操作部として構成することができる。
【００４０】
この場合、例えば止水状態の下で使用者が切替スイッチ１８の正面上方（厳密には正面である前方斜め上方）に手を差し出すと、即ち切替スイッチ１８を手かざし操作すると、切替スイッチ１８が人体検知によりオン動作し、その信号が制御部４６に入力されて、制御部４６が流量調節弁４０を開弁させる。
ここにおいて供給路３８を通じ吐水管１２に混合弁３２の弁状態に応じて湯又は水が供給され、吐水口１６から吐出せしめられる。
またダイヤル操作部２０を回転操作すると、流量調節弁４０における弁部４２の開度が変化せしめられ、吐水口１６から吐出される吐水の流量が調節される。
【００４１】
尚このとき、混合弁３２が水側に切り替っていれば吐水口１６から冷水が吐水され、且つダイヤル操作部２０の操作によって水の吐水流量が調節される。
或いは混合弁３２が湯側に切り替っていれば吐水口１６から湯が吐水され、且つその吐水流量がダイヤル操作部２０の操作によって調節される。
【００４２】
尚これらの場合には、図２における浄水路４８及び浄水路４８上に設けられた浄水フィルタ５０，浄水弁５２を除いた構造で水栓１０を構成しておくことができる。
或いはこのような浄水路４８，浄水フィルタ５０，浄水弁５２を設けておいて、別途の操作手段にて浄水を吐水したり止水したり、或いは場合によって浄水の流量を調節したりするといったことも可能である。
【００４３】
さて吐水口１６から吐水が行われている状態で、再び切替スイッチ１８を手かざし操作すると、ここにおいて切替スイッチ１８がオフ動作し、制御部４６によって流量調節弁４０が閉弁せしめられる。ここにおいて吐水口１６からの吐水が停止する。即ち止水する。
以上のように切替スイッチ１８は、ここでは手かざし操作するごとに切替動作を行うものとなしてある。
【００４４】
切替スイッチ１８はまた、水と湯との切替用として構成しておくこともできる。
尚この場合には、吐水と止水とを切り替えるための操作部を別途に設けておく。
【００４５】
このように切替スイッチを水と湯水との切替用として構成した場合、切替スイッチ１８を手かざし操作するごとに混合弁３２が水側と湯側とに切り替り、切替スイッチ１８の手かざし操作によって水吐水側に切り替った場合には、混合弁３２が給湯路３０と供給路３８とを遮断し、給水路２８だけを供給路３８に対して連通状態とし、給水路２８からの水だけを供給路３８に通して吐水口１６から吐出せしめる。
【００４６】
また一方切替スイッチ１８が湯側に切り替ったときには、混合弁３２が、給水路２８からの水と給湯路３０からの熱湯とを所定比率で混合する状態に切り替り、混合状態の湯を供給路３８を通じて吐水管１２に導き、吐水口１６から吐出せしめる。
【００４７】
また吐水口１６から水が吐出されるときにはダイヤル操作部２０を回転操作することによって水の吐水流量が調節され、吐水口１６から湯が吐出されているときには、ダイヤル操作部２０の回転操作によって湯の吐水流量が調節される。
このとき、ダイヤル操作部２０に設けた指示部２６と吐水管１２に設けた表示部２４とによって、現在の吐水流量を使用者が明確に認識することができる。
尚この場合、湯の温度調節は別途の操作部にて行うことができる。
【００４８】
切替スイッチ１８を水と湯との切替用として構成した場合において、ダイヤル操作部２０を吐水（湯）の温度調節用の操作部として構成することが可能である。
この場合には、ダイヤル操作部２０を回転操作することによって、吐水口１６から吐出される湯の温度を調節することができる。
具体的にはこの場合には、ダイヤル操作部２０を回転操作すると、混合弁３２の弁部３４がこれに応じて作動せしめられ、給水路２８からの水と給湯路３０からの熱湯の混合の比率を変化させる。
このとき、吐水管１２に設けた表示部２４とダイヤル操作部２０に設けた指示部２６とによって、現在の吐水温度がどの温度になっているかを使用者が明確に認識することができる。
【００４９】
切替スイッチ１８はまた、原水（水道水）と浄水との切替用のスイッチとして構成することもできる。
この場合、切替スイッチ１８を手かざし操作するごとに、吐水口１６からの吐水が原水から浄水に若しくはその逆に切り替る。
例えば吐水口１６から原水が吐出されている状態で切替スイッチ１８を手かざし操作すると、供給路３８上の流量調節弁４０が閉弁して、これに代わり浄水弁５２が開弁状態となり、給水路２８からの水が、これから分岐した浄水路４８側に流れ込んで、浄水フィルタ５０を通過し、そこで浄水とされた上で、かかる浄水が吐水管１２へと送られて吐水口１６から吐出される。
【００５０】
一方、この状態で切替スイッチ１８を手かざし操作すると、今度は浄水弁５２が閉弁し、これに代わって供給路３８上の流調調節弁４０が開弁状態となって、吐水口１６から原水（水又は湯或いは場合によって熱湯）が吐出せしめられる。
尚このときには、ダイヤル操作部２０は、通常は原水の吐水流量調節用として構成しておく。
尚このように切替スイッチ１８を原水と浄水との切替用として構成しておく場合には、吐水と止水との切替えを行うための操作部を別途に設けておく。
【００５１】
図２では、給水路２８と給湯路３０との合流部に混合弁３２を設けているが、図３に示しているように混合弁３２に代えて、給水路２８上に吐止水弁を兼ねた流量調節弁５８を、また給湯路３０上に吐止水弁を兼ねた流量調節弁６０を、それぞれ設けておくことも可能である。
ここで流量調節弁５８は、弁部６２をモータ（ここではステッピングモータ）６４にて連続的に開度調節できるものであり、また流量調節弁６０は、弁部６６をモータ（ここではステッピングモータ）６８にて連続的に開度調節できるものである。
【００５２】
この図３に示すものにおいては、流量調節弁５８，６０の開度をそれぞれ調節することによって、水と熱湯との混合比率を連続的に変化させて、吐水温度を調節することができ、また流量調節弁５８，６０の開度を共に変化させることで（水と湯との混合比率を一定に保ったままで）、吐水温度を一定に保ったままで吐水流量を連続的に変化させることが可能である。
従ってこの図３に示すものにおいては、図２に示す供給路３８上の流量調節弁４０も省略されている。
尚、給水路２８及び給湯路３０上には、それぞれ温度センサ４５が設けられており、それらは制御部４６と電気的に接続されている。
他の点については図２に示すものと同様である。
【００５３】
以上のような本実施形態によれば、吐水切替えを非接触で操作でき、その切替操作によって切替スイッチ１８ないしその周辺部が接触により汚れる問題を生じず、吐水管１２を清浄に維持することができるとともに、吐水切替えの操作を非接触で行うことができることから、操作性が良く利便性に優れる。
また同じく吐水管１２の先端部に吐水流量調節等の吐水状態調節を行うためのダイヤル操作部２０が設けてあるため、使用者は手元操作で簡単に吐水状態調節を行うことができる。
【００５４】
加えて本実施形態では、切替スイッチ１８を取り囲む形態で回転式のダイヤル操作部２０が設けてあって、２つの操作部が１個所に集中しており、初めて水栓１０を使用する人にも操作部の位置が分り易いとともに、吐水管１２先端部に切替スイッチ１８とダイヤル操作部２０との２種類の操作部を設けるに際して、それら２種類の操作部が広いスペースを必要とせず、吐水管１２の先端部の限られた狭いスペースにも容易にそれら２種類の操作部を設けることができる。
【００５５】
また本実施形態では、ダイヤル操作部２０を吐水管１２の側面から側方に突出させているため、吐水管１２の側面から側方に突出させた部分においてダイヤル操作部２０を操作することができ、ダイヤル操作部２０の操作性が良好である。
【００５６】
更にダイヤル操作部２０を、吐水管１２に設けた凹部２２に回転可能に嵌込状態に設けているため、ダイヤル操作部２０が吐水管１２の表面から大きく外部に突出した状態となるのを回避でき、操作部周りないし吐水管１２の美観を良好となすことができる。
【００５７】
特にこのように吐水管１２に設けた凹部２２にダイヤル操作部２０を嵌込状態に設けることによって、ダイヤル操作部２０の上面と、対応する吐水管１２の上面とを面一状態となすことが可能となり、ダイヤル操作部２０周りないし吐水管１２の美観を更に良好となすことができ、また清掃を行う際にも清掃性が良好となる。
【００５８】
更に本実施形態では吐水管１２の上面に表示部２４を、またダイヤル操作部２０に現在の吐水状態を表示するための指示部２６が設けてあるため、現在の吐水状態がどのような状態になっているかを使用者に容易に認識させることができ、ひいては水栓１０の使い勝手が良好となる。
【００５９】
図４は本発明の他の実施形態を示している。
この例は、ダイヤル操作部２０に、側方に突出するレバー部７０を設けた例である。
ここでレバー部７０は、図１に示すダイヤル操作部２０の突出部２０Ａの側面から側方に突出しており、従ってレバー部７０は吐水管１２の側面よりも側方に突出している。
【００６０】
本実施形態によれば、レバー部７０においてダイヤル操作部２０を回転操作することが可能となり、ダイヤル操作部２０の操作性を更に一段と良好となすことができる。
またダイヤル操作部２０を、径方向側方に突出したレバー部７０において操作することが可能となるため、ダイヤル操作部２０を操作すべく差し出した手が、非接触式の切替スイッチ１８にて検知されてしまい、切替スイッチ１８を誤って操作してしまうのを回避することができる利点が得られる。
【００６１】
この実施形態では、切替スイッチ１８が非接触で人体検知する非接触式のスイッチとされ、一方でダイヤル操作部２０が接触式の操作部であることに起因して、使用者がダイヤル操作部２０を操作しようとして手をこれに近づけたときに、切替スイッチ１８が誤ってこれを検知してしまい、切替スイッチ１８が誤動作してしまう恐れがある。
これを避けるため、切替スイッチ１８による有効な検知距離を短くしておくこと、例えば検知距離を切替スイッチ１８から３ｃｍ程度までの距離の範囲内としておくことが望ましい。
【００６２】
図５は切替スイッチ１８による誤検知、即ち切替スイッチ１８の誤操作をより有効に防止するための例を示したものである。
ここでは切替スイッチ１８による検知領域として、切替スイッチ１８に対し正面領域となる第１検知領域７２と、これに対して側方の領域（ここでは吐水管１２を基準とした左右の側方）である第２検知領域７４-１，７４-２を設定してある。
【００６３】
尚図５（Ａ）の例では、切替スイッチ１８の上面に、第１検知領域７２を検知領域とする人体検知センサと、第２検知領域７４-１，７４-２を検知領域とする人体検知センサとが設けてある例であり、また図５（Ｂ）の例は、第２検知領域７４-１，７４-２を検知領域とする人体検知センサが吐水管１２の側方に向けて設けてある例である。
【００６４】
この例では、第１検知領域７２においてのみ人体検知されたときには、切替スイッチ１８を操作する意図をもって使用者が手を差し出したものと判断し吐水切替えを行う。
また第２検知エリア７４-１，７４-２の何れかにおいて人体検知された場合には、使用者がダイヤル操作部２０の操作を意図して手を差し出したものと判断し、切替スイッチ１８による吐水切替えを行わない。
【００６５】
図６はその際の動作をタイムチャートとして表わしたものである。
但しこの図６の例は、切替スイッチ１８によって吐水と止水とを切り替えるようになした場合の例である。
図に示しているように第１検知領域７２においてのみ人体検知された場合には、吐水と止水との切替えが行われ、また第１検知領域７２における検知と併せて第２検知領域７４-１又は７４-２においても人体検知された場合には、第１検知領域７２で人体検知されているにも拘らず、切替スイッチ１８による吐水と止水との切替えは行われない。
【００６６】
本実施形態にによれば、切替スイッチ１８が第１検知領域７２においてのみ使用者の手を検知したときには、切替スイッチ１８が操作されたものと判断して吐水切替えを行うことができ、また一方第２検知領域７４-１又は７４-２において使用者の手を検知した場合には、使用者がダイヤル操作部２０を操作すべく手を差し出したものと判断して、吐水切替えを行わないようになすことができ、これにより使用者の意図を誤判定してしまって誤った動作をしてしまうのを良好に回避することができる。
【００６７】
以上本発明の実施形態を詳述したがこれはあくまで一例示であり、本発明はその趣旨を逸脱しない範囲において種々変更を加えた形態で構成可能である。
【図面の簡単な説明】
【００６８】
【図１】本発明の一実施形態である水栓の斜視図である。
【図２】同実施形態の水栓の構成を模式的に示した図である。
【図３】本発明の他の実施形態の図である。
【図４】本発明の更に他の実施形態の図である。
【図５】本発明の更に他の実施形態を示す図である。
【図６】図５の実施形態の作用をタイムチャートで表した図である。
【符号の説明】
【００６９】
１０  水栓
１２  吐水管
１６  吐水口
１８  切替スイッチ
２０  ダイヤル操作部
２２  凹部
２６  指示部
４６  制御部
７０  レバー部
７２  第１検知領域
７４-１，７４-２  第２検知領域
【図１】
2008255744.tif 000003
【図２】
2008255744.tif 000004
【図３】
2008255744.tif 000005
【図４】
2008255744.tif 000006
【図５】
2008255744.tif 000007
【図６】
2008255744.tif 000008